(57)【要約】【課題】  デジタル放送データの出力中にデジタル放送データの損失なしに通話が可能にする移動通信端末機及びその方法を提供する。【解決手段】  デジタル放送の出力中に通話機能を処理する移動通信端末機であって、デジタル放送データ受信部と、前記移動通信端末機の通話状態情報に基づいて前記受信されたデジタル放送データを保存または出力するように制御する通話状態感知部と、前記通話状態感知部の制御によって前記受信されたデジタル放送データを保存する保存部と、前記受信されたデジタル放送データまたは前記保存部に保存されたデジタル放送データを出力する出力部と、を含むことを特徴とする。【選択図】  図２
2005354700.tif 000002
【特許請求の範囲】
【請求項１】
デジタル放送の出力中に通話機能を処理する移動通信端末機であって、
デジタル放送データを受信するためのデジタル放送データ受信部と、
前記移動通信端末機の通話状態情報に基づいて前記受信されたデジタル放送データを保存または出力するように制御する通話状態感知部と、
前記通話状態感知部の制御によって前記受信されたデジタル放送データを保存する保存部と、
前記受信されたデジタル放送データまたは前記保存部に保存されたデジタル放送データを出力する出力部と、
を含むことを特徴とする移動通信端末機。
【請求項２】
前記出力部から出力されるデジタル放送データを出力する出力インターフェース部を含むことを特徴とする請求項１に記載の移動通信端末機。
【請求項３】
前記出力インターフェース部は、前記デジタル放送データを可視的形態に出力するディスプレー部と、
前記デジタル放送データを可聴的形態に出力するスピーカー部と、
を含んで構成されることを特徴とする請求項２に記載の移動通信端末機。  
【請求項４】
前記保存部にデジタル放送データを保存する前に前記デジタル放送データを暗号化(ｓｃｒａｍｂｌｉｎｇ)し、前記保存部からデジタル放送データを読み込む際に前記暗号化されたデジタル放送データを解読する暗号化制御部をさらに含むことを特徴とする請求項１に記載の移動通信端末機。  
【請求項５】
前記通話状態感知部は、前記移動通信端末機の通話開始が感知されると、前記出力部の出力動作を中断して前記保存部が前記受信されたデジタル放送データを保存するように制御することを特徴とする請求項１乃至４のいずれか１項に記載の移動通信端末機。
【請求項６】
前記通話状態感知部は、前記移動通信端末機の通話終了が感知されると、前記出力部の出力動作を再開して前記保存部が前記受信されたデジタル放送データを保存しながら保存されたデジタル放送データをその保存された時間順に出力して前記出力部に伝達するように制御することを特徴とする請求項１乃至４のいずれか１項に記載の移動通信端末機。  
【請求項７】
前記保存部は、前記受信されたデジタル放送データを保存する第１のバッファーと、
前記デジタル放送データの再生が要請されると、前記第１のバッファーからデジタル放送データの提供を受けて前記出力部に出力する第２のバッファーと、
を含むことを特徴とする請求項１に記載の移動通信端末機。
【請求項８】
前記第１のバッファーは、先入先出方式によって保存したデジタル放送データを第２のバッファーに提供することを特徴とする請求項７に記載の移動通信端末機。
【請求項９】
前記保存部は、前記受信されたデジタル放送データを保存する第１のバッファー及び第２のバッファーを具備し、
前記通話状態感知部は、前記第１のバッファーにデジタル放送データを保存する場合には前記第２のバッファーに保存されたデジタル放送データを前記出力部に出力するように制御し、前記第2 バッファーに保存されたデジタル放送データを保存する場合には前記第１のバッファーに保存されたデジタル放送データを前記出力部に出力するように制御することを特徴とする請求項１に記載の移動通信端末機。
【請求項１０】
前記通話状態感知部は、前記保存部に前記受信されたデジタル放送データを保存する空間が不足であれば、これを使用者に通知することを特徴とする請求項１に記載の移動通信端末機。
【請求項１１】
移動通信端末機のデジタル放送の出力中に通話機能を処理する方法であって、
デジタル放送の出力中に通話要請が発生しかた否かを確認する過程と、
通話要請が発生すれば、デジタル放送データの出力を中止して受信されるデジタル放送データを保存する過程と、
を含むことを特徴とする方法。
【請求項１２】
通話が終了された後、前記保存されたデジタル放送データをその保存された順に抽出して出力する過程をさらに含むことを特徴とする請求項１１に記載の方法。
【請求項１３】
通話要請が発生すれば、ユーザーにより設定された情報に基づいて前記移動通信端末機の動作モードが決定されることを特徴とする請求項１１又は１２に記載の方法。
【請求項１４】
前記保存過程は、前記デジタル放送データを保存する前に前記デジタル放送データを暗号化する過程を含むことを特徴とする請求項１１又は１２に記載の方法。  
【請求項１５】
前記保存されたデジタル放送データの出力過程は、前記暗号化されて保存されたデジタル放送データを出力する前に前記デジタル放送データの解読過程を含むことを特徴とする請求項１３に記載の方法。
【請求項１６】
前記受信されたデジタル放送データを保存する空間が不足であれば、これを使用者に通知する過程をさらに含むことを特徴とする請求項１１に記載の方法。
【発明の詳細な説明】
【技術分野】
【０００１】
本発明は、デジタル放送データの受信が可能な移動通信端末機に関し、特に、デジタル放送データの出力中に通話機能を処理する移動通信端末機及びその方法に関する。
【背景技術】
【０００２】
最近、移動通信端末機を利用したデジタル放送、特に、デジタルマルチメディア放送(Ｄｉｇｉｔａｌ Ｍｕｌｔｉｍｅｄｉａ Ｂｒｏａｄｃａｓｔｉｎｇ：以下、‘ＤＭＢ’と称する)サービスについての関心が高くなってきている。
ＤＭＢとは、無指向性受信アンテナを装着した個人携帯用または車両用受信機を通じて移動中にも多様なマルチメディア放送を多チャンネルで視聴できるようにする放送サービスを言う。
【０００３】
図１は、デジタルマルチメディア放送(ＤＭＢ)サービスの具現のためのシステム構成を示す例示図である。図１に示すように、ＤＭＢサービスの具現のためのシステムは、データ送出センター１０と、衛星２０と、受信装置(例えば、移動通信端末機３０、車両用受信機４０及び家庭用受信機５０など)と、を含む。データ送出センター１０は、デジタルマルチメディア放送データ(例えば、画像、音声及びデータ信号など)を圧縮した後に変調して衛星２０に送り出す。衛星２０は、データ送出センター１０から送り出された信号を受信して増幅した後に周波数変換してさらに地上に再伝送する。受信装置、例えば、移動通信端末機３０、車両用受信機４０及び/または家庭用受信機５０は、各々衛星２０から再伝送される信号の入力を受けて復調した後に圧縮を解除して本来の信号に各々変換して出力する。
【０００４】
この時、移動通信端末機３０、車両用受信機４０及び/または家庭用受信機５０のような受信装置の中で移動通信端末機３０を利用してＤＭＢを視聴する中に通話要請信号が受信された場合、ユーザーはＤＭＢ出力機能と通話の中でいずれの一つの機能を選択しなければならない。
したがって、ＤＭＢ視聴中に電話通話を実行した場合、ユーザーはその電話通話時間ほどＤＭＢを視聴することが不可能であった。
【発明の開示】
【発明が解決しようとする課題】
【０００５】
本発明は、上述したような従来技術の問題点を解決するためになされたもので、その目的は、デジタル放送データの出力中にデジタル放送データの損失なしに通話を可能とする移動通信端末機及びその方法を提供することにある。
本発明の他の目的は、移動通信端末機を利用したデジタル放送サービスの品質を向上させた移動通信端末機及びその方法を提供することにある。
本発明のまた他の目的は、移動通信端末機を利用したデジタル放送サービス利用者がデジタル放送視聴及び通話機能を便利に利用できるようにした移動通信端末機及びその方法を提供することにある。
【課題を解決するための手段】
【０００６】
上記課題を解決するための本発明による移動通信端末機は、デジタル放送データを受信するためのデジタル放送データ受信部と、前記移動通信端末機の通話状態情報に基づいて前記受信されたデジタル放送データを保存または出力するように制御する通話状態感知部と、前記通話状態感知部の制御によって前記受信されたデジタル放送データを保存する保存部と、前記受信されたデジタル放送データまたは前記保存部に保存されたデジタル放送データを出力する出力部と、を含むことを特徴とする。
【０００７】
また、本発明による移動通信端末機のデジタル放送の出力中に通話機能を処理する方法は、デジタル放送の出力中に通話要請が発生しかた否かを確認する過程と、通話要請が発生すれば、デジタル放送データの出力を中止して受信されるデジタル放送データを保存する過程と、を含むことを特徴とする。
好ましくは、本発明による移動通信端末機の処理方法は、通話が終了された後、前記保存されたデジタル放送データをその保存された順に抽出して出力する過程と、前記デジタル放送データを保存する前に前記デジタル放送データを暗号化する過程と、をさらに含む。
【発明の効果】
【０００８】
本発明によれば、移動通信端末機を利用したＤＭＢ視聴中にユーザーが通話機能を実行する場合、通話機能開始以後に受信されたＤＭＢデータを保存して通話が終了された時点で出力することにより、通話によるＤＭＢデータの損失を防止する長所がある。即ち、ユーザーが移動通信端末機を利用してＤＭＢを視聴するうちに電話通話した場合、通話によりまだ見なかった部分を保存して通話が終了した後にその見なかった部分から再視聴することができる。
【発明を実施するための最良の形態】
【０００９】
以下、本発明の好適な一実施形態について添付図面を参照しつつ詳細に説明する。下記の説明において、本発明の要旨のみを明確にする目的で、関連した公知機能又は構成に関する具体的な説明は省略する。そして、本明細書ではデジタル放送サービス中のＤＭＢの場合を例として説明するが、他のデジタル放送サービスの場合にも適用可能であることは当分野で通常の知識を持つ者には明らかである。
【００１０】
図２は、本発明の一実施形態による移動通信端末機を示す概略的なブロック図である。図２に示すように、本発明の一実施形態による移動通信端末機１００は、携帯電話機能を制御する携帯電話機能モジュール(例えば、フォンモジュール)(Ａ)と、放送受信機能を制御する放送受信モジュール(例えば、ＤＭＢモジュール)(Ｂ)と、を含む。
フォンモジュール(Ａ)は、携帯電話機能を含んだ移動通信端末機の全般的な機能を制御する主制御部(ＭＳＭ(Ｍｏｂｉｌｅ Ｓｔａｔｉｏｎ Ｍｏｄｅｍ)チップを利用して具現できる)１１０と、携帯電話機能を含んだ移動通信端末機の全般的な機能と関連された情報をディスプレーする第１のＬＣＤ１２０と、オーディオ(ａｕｄｉｏ)信号を入力するマイク(Ｍｉｃ.)１３０と、ＭＳＭ１１０に制御命令を入力するキーパッド１４０と、携帯電話機能実行と関連されたオーディオ信号を出力する第１のスピーカー１５０と、を含む。この時、第１のスピーカー１５０は受話器(ｒｅｃｅｉｖｅｒ)として動作する装置である。
【００１１】
一方、ＤＭＢモジュール(Ｂ)は、ＤＭＢデータを受信するＤＭＢ受信部１６０と、ＤＭＢデータを解読してユーザーに提供するための情報を出力するＤＭＢ制御部１７０と、ＤＭＢ制御部１７０から出力された映像情報をディスプレーする第２のＬＣＤ１８０と、ＤＭＢ制御部１７０から出力されたオーディオ信号を出力する第２のスピーカー１９０と、を含む。この時、第２のスピーカー１９０は、マルチメディア情報に含まれた音響情報を出力するための装置として、選択的にステレオ(ｓｔｅｒｅｏ)機能を提供することができる。また、第２のＬＣＤ１８０は、マルチメディア情報に含まれた映像情報を出力するための装置である。第２のスピーカー１９０と第２のＬＣＤ１８０は、デジタル放送を出力するための出力インターフェース部を構成する。出力インターフェース部は、デジタル放送の形態によってスピーカーとＬＣＤの中でいずれか一つだけで構成することもできる。例えば、デジタルオーディオ放送(Ｄｉｇｉｔａｌ Ａｕｄｉｏ Ｂｒｏａｄｃａｓｔ)のみを処理するための移動通信端末機の場合にはスピーカーだけで出力インターフェース部が構成される。選択的に、移動通信端末機を２個のデジタル、オーディオ及びビデオ放送の全てのために使用し、少なくとも一つのスピーカーとＬＣＤなどのビデオディスプレーを提供することができる。
【００１２】
他の実施形態として、第１のスピーカー１５０及び第２のスピーカー１９０はお互いに統合形成されて一つのスピーカーだけを提供することができる。同様に、第１のＬＣＤ１２０及び第２のＬＣＤ１８０もお互いに統合形成することができる。
特に、ＤＭＢ制御部１７０は、移動通信端末機１１０が通話機能の実行中にＤＭＢ受信部１６０から受信されたＤＭＢデータを内部メモリーに保存してから通話機能の終了後に出力するように制御する。例えば、ＤＭＢ制御部１７０は、ＭＳＭ１１０から移動通信端末機１００の通話状態情報の伝達を受けてその通話状態情報に基づいて受信されたＤＭＢデータについての処理を実行する。
【００１３】
図３は、本発明の一実施形態による移動通信端末機１００のＤＭＢ制御部１７０を示すブロック図である。図３に示すように、本発明の一実施の形態によるＤＭＢ制御部１７０は、ＤＭＢデータ解読部１７１と、ＤＭＢデータ保存部１７３と、ＤＭＢデータ出力部１７５と、通話状態感知部１７７と、を含んで構成される。
通話状態感知部１７７は、ＭＳＭ１１０からフォンモジュール(Ａ)の通話機能を実行するか否かによる‘通話状態情報’を受信し、それによってＤＭＢデータ解読部１７１、ＤＭＢデータ保存部１７３及びＤＭＢデータ出力部１７５の動作を制御する。
【００１４】
例えば、ＭＳＭ１１０が通話機能を実行すると感知した場合には、通話状態感知部１７７は、ＤＭＢデータ出力部１７５に‘出力停止信号’を出力してＤＭＢデータの出力を中断し、ＤＭＢデータ解読部１７１及びＤＭＢデータ保存部１７３に‘データ保存信号’を出力する。ＤＭＢデータ解読部１７１は、解読されたＤＭＢデータをＤＭＢデータ保存部１７３に伝達してそのＤＭＢデータを保存するように制御する。一方、ＭＳＭ１１０が通話機能を終了したと感知した場合には、通話状態感知部１７７は、ＤＭＢデータ保存部１７３及びＤＭＢデータ出力部１７５に‘出力開始信号’を出力してＤＭＢデータ保存部１７３に保存されたＤＭＢデータをＤＭＢデータ出力部１７５を通じて出力するように制御する。
【００１５】
ＤＭＢデータ解読部１７１は、ＤＭＢ受信部１６０を通じて受信されたＤＭＢデータを解読して出力する。この時、ＤＭＢデータは映像(ｖｉｄｅｏ)データと音響(ａｕｄｉｏ)データを含むことを仮定するので、ＤＭＢデータ解読部１７１は、これらを分離した後に多重化(ｄｅｍｕｘｉｎｇ)及びデコーディング(ｄｅｃｏｄｉｎｇ)する。そして、ＤＭＢデータ解読部１７１は、通話状態感知部１７７の制御によってデコーディングされた映像データ及び音響データをＤＭＢデータ出力部１７５またはＤＭＢデータ保存部１７３のいずれか一つに出力する。例えば、ＤＭＢデータ解読部１７１は、ＤＭＢ動作の初期には解読されたＤＭＢデータをＤＭＢデータ出力部１７５に伝達し、通話状態感知部１７７から‘データ保存信号’が伝達されると、その解読されたＤＭＢデータをＤＭＢデータ保存部１７３に伝達する。特に、ＤＭＢデータ解読部１７１は、‘データ保存信号’を受信した以後には該当ＤＭＢプログラムが終了するまで解読されたＤＭＢデータをＤＭＢデータ保存部１７３に保存する。したがって、ＤＭＢデータ解読部１７１は、解読されたＤＭＢデータを出力する際に、ＤＭＢデータ出力部１７５及びＤＭＢデータ保存部１７３のいずれか一つにデータを出力する。
【００１６】
ＤＭＢデータ保存部１７３は、通話状態感知部１７７の制御によってＤＭＢデータ解読部１７１から伝達されたＤＭＢデータの保存またはその保存されたＤＭＢデータの出力を実行する。例えば、通話状態感知部１７７からの‘データ保存信号’がＤＭＢデータ保存部１７３に入力されると、ＤＭＢデータ解読部１７１から伝達されたＤＭＢデータを保存する。そして、通話状態感知部１７７からの‘出力開始信号’がＤＭＢデータ保存部１７３に入力されると、その保存されたＤＭＢデータをＤＭＢデータ出力部１７５に伝達する。この時、ＤＭＢデータ保存部１７３は既保存されたＤＭＢデータの保存手順に基づいて保存時間が古い順にＤＭＢデータを抽出してＤＭＢデータ出力部１７５に伝達する。また、ＤＭＢデータ保存部１７３は、そのＤＭＢデータをＤＭＢデータ出力部１７５に提供すると同時に実時間に受信されるＤＭＢデータをＤＭＢデータ解読部１７１から伝達を受けて保存する動作を実行する。
【００１７】
ＤＭＢデータ出力部１７５は、ＤＭＢデータ解読部１７１またはＤＭＢデータ保存部１７３から伝達されたＤＭＢデータを出力する。即ち、ＤＭＢデータの中でビデオデータは第２のＬＣＤ(図３の‘１８０’)に伝達し、オーディオデータは第２のスピーカー(図３の‘１９０’)に伝達する。
この時、ＤＭＢデータ保存部１７３は、実際使用において、図３のように移動通信端末機に統合することができるだけでなく外装型メモリー(図示しなかったが例えば、ＲＡＭ、ＲＯＭなど)を利用することもできる。ただ、ＤＭＢデータ保存部１７３が外装型メモリーである場合、ＤＭＢデータの著作権保護のためにＤＭＢデータをＤＭＢデータ保存部１７３に保存する前にそのＤＭＢデータを所定の暗号化技術またはアルゴリズムを利用して暗号化(ｓｃｒａｍｂｌｉｎｇ)する過程を実行することが好ましい。このために、ＤＭＢ制御部１７０は暗号化制御部(図示せず)をさらに含むことが好ましい。
【００１８】
一方、制御部１７０は、ＤＭＢデータをＤＭＢデータ保存部１７３に保存する中にメモリー容量を持続的にチェックしてＤＭＢデータ保存部のメモリー容量がフル(Ｆｕｌｌ)であるか否かをチェックする。制御部１７０は、ＤＭＢデータ保存部１７３にその以上は放送データを保存することができなくなれば、ＤＭＢデータの保存を止めて第２のＬＣＤ、即ち、表示部１８０にメモリー容量が超過したというメッセージをディスプレーするか、メッセージをディスプレーすると同時にアラーム音を発生して使用者にメモリー容量がフル状態であることを通知する。
【００１９】
図４は、本発明の一実施形態によるＤＭＢ出力中の通話機能処理方法を示すフローチャートである。即ち、ユーザーが移動通信端末機を利用してＤＭＢを視聴する中(例えば、ＤＭＢモード実行中)に通話機能が要請された場合、移動通信端末機が本発明の実施形態によって通話機能を処理するための方法についてのフローチャートである。
図４に示すように、移動通信端末機がＤＭＢデータを受信して解読した後にそのＤＭＢデータを出力する一連の過程(ステップ１１１及びステップ１１３)を反復実行する中に通話要請が発生したか否かを確認する(ステップ１１７)。
【００２０】
通話要請は、移動通信端末機に呼が受信されるかユーザーが呼を発信するために通話機能を選択することにより発生する。例えば、呼が受信される場合、移動通信端末機はユーザーに呼が受信されたことを知らせてユーザーが通話機能を実行するか否かを決定するようにする。例えば、移動通信端末機は、選択的に“着信呼”または発信番号などの発信者の識別のようなメッセージをＤＭＢ放送画面にオーバーレイ(ｏｖｅｒｌａｙ)表示した後に移動通信端末機のユーザーにサービス可能なオプションを提供することにより、ユーザーに通信要請または該当呼を受信するか、拒絶するかまたは無視できるようにする。選択的な実施形態において、移動通信端末機のユーザーによりオプション的に既設定された音楽メロディー、トーン、フラッシュ、振動などは、移動通信端末のユーザーを警告するために使用することができる。
【００２１】
ステップ１１７で、ユーザーがＤＭＢ出力機能を選択すれば、移動通信端末機はステップ１１１及びステップ１１３を反復実行する。しかし、ユーザーが通話機能を選択して該当通話が開始されると、移動通信端末機はＤＭＢデータの出力を中止して通話モードを実行する(ステップ１１９)。この時、ＤＭＢデータの受信及び解読過程は維持する(ステップ１２１)。即ち、ユーザーの通話機能を支援するためにＤＭＢデータの出力は中止するが移動通信端末機の内部的に実行される実時間ＤＭＢデータの受信及び解読過程(ステップ１２１)は持続的に実行する。そして、ステップ１２１を経たＤＭＢデータを保存する(ステップ１２３)。ステップ１２１及びステップ１２３は、通話が終了するまで反復実行される。
【００２２】
ステップ１２３でＤＭＢデータを保存する理由は、ユーザーが通信(例えば、通話)と同時にＤＭＢ放送を視聴することができない短所を解決するためである。即ち、通話が終了した時にステップ１２１及びステップ１２３を経て保存されたＤＭＢデータを利用してＤＭＢ放送サービスを提供するためである。
通話が終了すれば、ステップ１２３で保存されたＤＭＢデータを出力する(ステップ１２９)。一方、ステップ１２７でＤＭＢモードが終了しなかった場合は、ＤＭＢデータを受信及び解読するステップ１２１と解読されたＤＭＢデータを保存するステップ１２３を反復実行する。ステップ１２７で通信終了後に保存されたＤＭＢデータは出力される(ステップ１２９)。
【００２３】
この時、ＤＭＢデータの著作権保護のためにＤＭＢデータを保存するステップ１２３及び出力するステップ１２９に、ＤＭＢデータを選択的に暗号化(ｓｃｒａｍｂｌｅ)するステップをさらに含むことが好ましい。例えば、ＤＭＢデータを外部装置(例えば、外装メモリー)に保存する場合、該当移動通信端末機の器機番号または他の固有識別子はステップ１２３で保存されるＤＭＢデータに含むことができ、ステップ１２９は、ＤＭＢデータを出力しようとする移動通信端末機に保存された器機番号とそのＤＭＢデータに含まれた器機番号または他の固有識別子を比較するステップをさらに含むことが好ましい。これによって、認証された移動通信端末機(例えば、事前にＤＭＢデータの利用が承認された移動通信端末機またはＤＭＢデータ利用に相応した費用を支払った加入者の移動通信端末機など)のみでＤＭＢデータを出力することができるようにする。結果的に該当ＤＭＢデータの著作権保護を確かにしてＤＭＢデータの著作権侵害を防止することができる。もし、ＤＭＢモードがステップ１３１で終了しないと、ステップ１３３とステップ１３５(上述のステップ１１１とステップ１１３及びステップ１２１ステップ１２３)と各々類似であり、以下説明しない)が実行され、その後、ＤＭＢデータはステップ１２９に出力される。一方で、ＤＭＢモードがステップ１３１で終了すれば、プロセスは終了する。
【００２４】
一方、ステップ１１７の通話要請は、前記例のようにユーザーに呼が受信されたことを知らせてユーザーが通話機能を実行するか否かを決定するようにする方法により発生できるが、その方法により限定されない。
例えば、呼受信時に通話要請が発生したと判断して間もなく通話モードに進入するように構成することも可能である。
【００２５】
また、ＤＭＢデータの受信開始以前に、ユーザーがＤＭＢを視聴する中に呼が受信される場合についての処理情報を既設定すれば、移動通信端末機がその設定情報によって動作モードを決定することもできる。より具体的には、ユーザーはＤＭＢデータの受信開始以前に移動通信端末機の動作モードを既設定することができる。例えば、ユーザーはＤＭＢを視聴する中に呼が受信された場合、移動通信端末機の動作モードを設定して(１)その着呼を無視するか、(２)電話通話するが電話通話中に受信されたＤＭＢデータを録画するか、(３) 電話通話するが電話通話中に受信されたＤＭＢデータを録画しないこともある。ステップ１１７では、その設定情報に基づいて移動通信端末機の動作モードを決定する。
【００２６】
この例において、ユーザーが処理情報を第１のオプションに対応して設定した場合には、ステップ１１７で、移動通信端末機は、ユーザーが通話を拒否したと判断してステップ１１１以後の過程を実行する。もし、ユーザーが処理情報を第２のオプションに設定した場合には、ステップ１１７で、移動通信端末機は、ユーザーが通話を承認して通話中に受信されたＤＭＢデータの録画を要請したと判断してステップ１１９以後の過程を実行する。一方、ユーザーが処理情報を第３のオプションに選択した場合には、従来の方法と同様にＤＭＢデータの受信を中断して電話だけを受けるようにする。
【００２７】
また、この通話要請は、呼受信時だけではなく呼発信時にも発生する。即ち、通話要請は、ユーザーから相手の電話番号が入力される時、呼発信時または呼発信後に相手との通話が成立される時のいずれか一つの場合に発生できる。
【００２８】
一方、ユーザーが処理情報を‘(２)’に設定した場合には、受信されたＤＭＢデータの録画のための最大録画時間及び録画容量情報を別に設定することが好ましい。この時、移動通信端末機の保存空間を参照することがより好ましい。その理由は、通話時間に比例して移動通信端末機に保存されるＤＭＢデータの量が増加するようになり、その保存されるＤＭＢデータの量が移動通信端末機の保存容量を超過することにより発生する問題点を予め防止するためである。
【００２９】
上述の実施形態では一つのＤＭＢデータ保存部１７３にＤＭＢデータを保存する構成について説明した。しかし、ＤＭＢデータを保存するための保存領域を２ヶ所に具現することもできる。
図５は、本発明の他の実施形態による移動通信端末機１００に具現されたＤＭＢモジュールを示すブロック構成図である。
図５に示したように、ＤＭＢモジュールは、通話状態感知部２００と、ＤＭＢデータ受信及び解読部２１０と、メモリー２３０と、ＤＭＢデータ出力部２２０と、を具備する。
ＤＭＢデータ受信及び解読部２１０は、ＤＭＢデータを受信して受信ＤＭＢデータを解読して出力する。上述のように、ＤＭＢデータは、映像データと音響データとを含むので、ＤＭＢデータ受信及び解読部２１０は受信ＤＭＢデータから映像データ及び音響データを分離した後に多重分離(ｄｅｍｕｘｉｎｇ)及びデコーディング(ｄｅｃｏｄｉｎｇ)する。
【００３０】
通話状態感知部２００は、ＤＭＢデータ受信及び解読部２１０から出力されるＤＭＢデータを設定された出力遅延期間の間にメモリー２３０に保存する。図５に示されたメモリー２３０は、通話状態感知部２００の制御によりＤＭＢデータを保存するために直列で連結された第１のバッファー２３２及び第２のバッファー２３４を含み、ＤＭＢデータは設定された出力遅延時間の間に第１のバッファー２３２に保存される。出力遅延期間は使用者がＤＭＢを見られない期間、例えば、通話期間になることができる。もちろん、使用者により一定期間の間にＤＭＢ出力を停止させることができる。使用者はＤＭＢ出力を一時停止させるための所定キーを選択することによってＤＭＢ表示をしばらく止めることができる。
【００３１】
このように決定された所定期間の間に、通話状態感知部２００はメモリー２３０の第１のバッファー２３２にＤＭＢデータ受信及び解読部２１０から出力されるＤＭＢデータを保存する。
以後、通話状態感知部２００は、ＤＭＢデータの出力が要請される場合、第１のバッファー２３２に保存したＤＭＢデータを先入先出(Ｆｉｒｓｔ−ｉｎ Ｆｉｒｓｔ−ｏｕｔ)方式により第２のバッファー２３４に移動させてＤＭＢデータ出力部２２０に出力させる。ＤＭＢデータの出力要請は、使用者が通話終了した場合には通話終了に応答して発生し、使用者によるキー入力がある場合にはキー入力に応答して発生する。本発明はここに限定されず、ＤＭＢ出力が中止する場合に全部適用できることは当業者には自明である。
【００３２】
ＤＭＢデータ出力部２２０は、図示しなかったがスピーカー及び表示部を通じてＤＭＢデータを出力する。この時、通話状態感知部２００はＤＭＢデータ受信及び解読部２１０から出力されるＤＭＢデータを第１のバッファー２３２に継続的に保存する。勿論、第１のバッファー２３２から第２のバッファー２３４へのＤＭＢデータの移動も継続的に進行される。
そして、通話状態感知部２００は、使用者により現在視聴されていた放送チャンネルが転換されるかまたは現在の放送チャンネルを通じて広告などが放送されると、第１のバッファー２３２にＤＭＢデータを保存しないこともできる。このため構成は当業者により具現可能である。
【００３３】
図６は、本発明の他の実施形態によるＤＭＢ出力中の通話機能処理方法を示すフローチャートである。
図６に示したように、まず、通話状態感知部２００は、ＤＭＢデータを受信して解読した後にそのＤＭＢデータを出力する一連の過程(ステップ３００及びステップ３０２)を反復実行する中に通話要請が発生したか否か確認する(ステップ３０４)。この通話要請は、上述のように、移動通信端末機に呼が受信されるか使用者が呼を発信する場合に発生する。即ち、使用者は着信呼に対して応答するか、発信することにより通話要請を発生することができる。もし、通話要請が発生すれば、通話状態感知部２００は、ステップ３０６に進行してＤＭＢデータの出力を中止し、中止された時点からのＤＭＢデータを第１のバッファー２３２に保存する。これと同時に、通話状態感知部２００は、ステップ３０８で、通話モードを実行し、ステップ３１０で、該当通話が終了したか否かを判断する。
【００３４】
通話が終了された場合には、通話状態感知部２００は、ステップ３１２に進行して第１のバッファー２３２に保存されたＤＭＢデータを第２のバッファー２３４に移動させ、ＤＭＢデータを第２のバッファー２３４からＤＭＢデータ出力部２２０に出力させる。これと同時に、通話状態感知部２００は、ステップ３１４で、第１のバッファー２３２にＤＭＢデータを継続保存する。そして、通話状態感知部２００は、ステップ３１６で、ＤＭＢモードが終了したか否かを判断し、ＤＭＢモードが終了しなかった場合には、ステップ３１２に復帰してステップ３１２及びステップ３１４を持続的に実行する。
【００３５】
図７は、本発明のまた他の実施形態による移動通信端末機１００に具現されたＤＭＢモジュールを示すブロック構成図である。
図７に示したように、ＤＭＢモジュールは、通話状態感知部２００と、ＤＭＢデータ受信及び解読部２１０と、メモリー２４０と、ＤＭＢデータ出力部２２０と、を具備する。
ＤＭＢデータ受信及び解読部２１０は、ＤＭＢデータを受信して受信ＤＭＢデータを解読して出力する。そして、通話状態感知部２００は、ＤＭＢデータ受信及び解読部２１０から出力されるＤＭＢデータを設定された出力遅延期間の間にメモリー２４０に保存する。図７に示されたメモリー２４０は、通話状態感知部２００の制御によりＤＭＢデータを保存するために並列に配置された第１のバッファー２４２及び第２のバッファー２４４を含み、ＤＭＢデータは設定された出力遅延時間の間に第１のバッファー２４４に保存される。上述のように、出力遅延期間は使用者がＤＭＢを見られない期間、例えば、通話期間になることができる。もちろん、使用者により一定期間の間にＤＭＢ出力を停止させることができる。使用者はＤＭＢ出力を一時停止するための所定キーを選択することによりＤＭＢ表示をしばらく停止することができる。
【００３６】
このように決定された所定期間の間に、通話状態感知部２００はメモリー２４０の第１のバッファー２４２にＤＭＢデータ受信及び解読部２１０から出力されるＤＭＢデータを保存する。以後、通話状態感知部２００はＤＭＢデータの出力が要請される場合、即ち、ＤＭＢ再生要請時に、第１のバッファー２３４に保存されたＤＭＢデータをＤＭＢデータ出力部２２０に出力させる。それによって、ＤＭＢデータ出力部２２０は自分と連結されたスピーカーと表示部(図示せず)を通じてＤＭＢデータを出力する。第１のバッファー２４２に保存されたＤＭＢデータがＤＭＢデータ出力部２２０を通じて出力される際に、ＤＭＢデータ受信及び解読部２１０から出力されるＤＭＢデータは第２のバッファー２４４に保存される。即ち、通話状態感知部２００は、ＤＭＢ再生要請時に、第１のバッファー２３４に保存されたＤＭＢデータをＤＭＢデータ出力部２２０に出力するように制御し、ＤＭＢデータ受信及び解読部２１０から出力されるＤＭＢデータを第２のバッファー２４４に保存するように制御する。
【００３７】
また、通話状態感知部２００は、第１のバッファー２４２に保存されたＤＭＢデータが全部出力されると、第２のバッファー２４４に保存されたＤＭＢデータをＤＭＢデータ出力部２２０に出力する。この場合、通話状態感知部２００は、第２のバッファー２４４に保存されたＤＭＢデータが出力される際に、ＤＭＢデータ受信及び解読部２１０から出力されるＤＭＢデータを第１のバッファー２４２に保存することが好ましい。
【００３８】
図８は、本発明のまた他の実施形態によるＤＭＢ出力中の通話機能処理方法を示すフローチャートである。
図８に示したように、通話状態感知部２００は、ＤＭＢデータを受信して解読した後にそのＤＭＢデータを出力する一連の過程(ステップ４００及びステップ４０２)を反復実行する中に通話要請が発生したか否かを確認する(ステップ４０４)。もし、通話要請が発生すれば、通話状態感知部２００は、ステップ４０６に進行してＤＭＢデータの出力を中止し、中止された時点からのＤＭＢデータを第１のバッファー２４２に保存する。これと同時に、通話状態感知部２００は、ステップ４０８で、通話モードを実行し、ステップ４１０で、該当通話が終了したか否かを判断する。
【００３９】
通話が終了された場合には、通話状態感知部２００は、ステップ４１２に進行して第１のバッファー２４２に保存されたＤＭＢデータをＤＭＢデータ出力部２２０に出力されるように制御すると同時に、第２のバッファー２４４にＤＭＢデータ受信及び解読部２１０から出力されるＤＭＢデータを保存する。そして、通話状態感知部２００は、ステップ４１４に進行して第１のバッファーに保存されたＤＭＢデータが全部出力されたか否かを判断する。もし、第１のバッファーに保存されたＤＭＢデータがＤＭＢデータ出力部２２０に全部出力された場合には、通話状態感知部２００は、ステップ４１６で、第２のバッファー２４４に保存されたＤＭＢデータをＤＭＢデータ出力部２２０に出力し、第１のバッファー２４２にＤＭＢデータ受信及び解読部２１０から出力されるＤＭＢデータを保存する。
【００４０】
その後、通話状態感知部２００は、ステップ４１８に進行して第２のバッファー２４４に保存されたＤＭＢデータが全部出力されたか否かを判断する。もし、第２のバッファー２４４に保存されたＤＭＢデータがＤＭＢデータ出力部２２０に全部出力された場合には、通話状態感知部２００は、ステップ４１２に復帰して第１のバッファー２４２に保存されたＤＭＢデータをＤＭＢデータ出力部２２０に出力し、第２のバッファー２４４にＤＭＢデータ受信及び解読部２１０から出力されるＤＭＢデータを保存する。
このような方式によりメモリー２４０の第１のバッファー２４２と第２のバッファー２４４は交番にＤＭＢデータ受信及び解読部２１０から出力されるＤＭＢデータを保存して出力する。
【００４１】
以上、本発明を具体的な実施形態を参照して詳細に説明したが、本発明の範囲は前述の実施形態によって限定されるべきではなく、特許請求の範囲の記載及びこれと均等なものの範囲内で様々な変形が可能なことは、当該技術分野における通常の知識を持つ者には明らかである。即ち、本明細書ではデジタル放送サービスの中でＤＭＢを例として説明したが、本発明は、ＤＭＢサービスに限定されず、他のデジタル放送サービス(例えば、ＤＡＢ(Ｄｉｇｉｔａｌ Ａｕｄｉｏ Ｂｒｏａｄｃａｓｔｉｎｇ)、ＤＡＲ(Ｄｉｇｉｔａｌ Ａｕｄｉｏ Ｒａｄｉｏ)、ＤＲＢ(Ｄｉｇｉｔａｌ Ｒａｄｉｏ Ｂｒｏａｄｃａｓｔｉｎｇ)及びＤＳＢ(Ｄｉｇｉｔａｌ Ｓｏｕｎｄ Ｂｒｏａｄｃａｓｔｉｎｇ)など)にも適用できる。
【図面の簡単な説明】
【００４２】
【図１】デジタルマルチメディア放送(ＤＭＢ)サービスの具現のためのシステム構成を示す例示図である。
【図２】本発明の一実施形態による移動通信端末機を示す概略的なブロック図である。
【図３】本発明の一実施形態による移動通信端末機のＤＭＢ制御部を示すブロック図である。
【図４】本発明の一実施形態によるＤＭＢ出力中の通話機能処理方法を示すフローチャートである。
【図５】本発明の他の実施形態による移動通信端末機に具現されたＤＭＢモジュールを示すブロック構成図である。
【図６】本発明の他の実施形態によるＤＭＢ出力中の通話機能処理方法を示すフローチャートである。
【図７】本発明のまた他の実施形態による移動通信端末機に具現されたＤＭＢモジュールを示すブロック構成図である。
【図８】本発明のまた他の実施形態によるＤＭＢ出力中の通話機能処理方法を示すフローチャートである。
【符号の説明】
【００４３】
１１０    主制御部
１２０    第１のＬＣＤ
１３０    マイク
１４０    キーパッド
１５０    第１のスピーカー
１６０    ＤＭＢ受信部
１７０    ＤＭＢ制御部
１７１    ＤＭＢデータ解読部
１７３    ＤＭＢデータ保存部
１７５    ＤＭＢデータ出力部
１７７    通話状態感知部
１８０    第２のＬＣＤ
１９０    第２のスピーカー
【図１】
2005354700.tif 000003
【図２】
2005354700.tif 000004
【図３】
2005354700.tif 000005
【図４】
2005354700.tif 000006
【図５】
2005354700.tif 000007
【図６】
2005354700.tif 000008
【図７】
2005354700.tif 000009
【図８】
2005354700.tif 000010